(57)【特許請求の範囲】
【請求項１】
データ信号および当該データ信号を復調するために必要な情報を含む制御信号の伝搬環境の変動を検出する検出手段と、
検出された伝搬環境の変動に応じて前記制御信号に対する前記データ信号の送信タイミングを変更する変更手段と、
を有することを特徴とする基地局装置。
【請求項２】
前記検出手段は、
受信信号から最大ドップラー周波数を検出する最大ドップラー周波数検出部、を含み、
検出された最大ドップラー周波数に基づいて伝搬環境の変動を検出することを特徴とする請求項１記載の基地局装置。
【請求項３】
前記変更手段は、
伝搬環境の変動が大きい場合に前記制御信号に対する前記データ信号の送信タイミングを早くすることを特徴とする請求項１記載の基地局装置。
【請求項４】
前記変更手段は、
伝搬環境の変動が小さい場合に前記制御信号に対する前記データ信号の送信タイミングを遅くすることを特徴とする請求項１記載の基地局装置。
【請求項５】
前記変更手段は、
前記制御信号に対する前記データ信号の送信タイミングがそれぞれ異なる複数のグループを設定する設定部と、
設定された複数のグループのうち前記データ信号の送信先が属するグループを伝搬環境の変動に基づいて選択する選択部と、を有し、
送信先への前記制御信号に対する前記データ信号の送信タイミングを選択されたグループの送信タイミングに変更することを特徴とする請求項１記載の基地局装置。
【請求項６】
前記設定部は、自装置の設置場所に応じてあらかじめ複数のグループを設定することを特徴とする請求項５記載の基地局装置。
【請求項７】
前記設定部は、各移動局装置が前記検出手段によって検出する伝搬環境の変動を基に移動局装置数の割合に応じて複数のグループを設定することを特徴とする請求項５記載の基地局装置。
【請求項８】
前記設定部は、所定の周期で複数のグループを再設定することを特徴とする請求項６または請求項７記載の基地局装置。
【請求項９】
前記変更手段によって前記制御信号に対する前記データ信号の送信タイミングが変更されたことを通知する通知手段、をさらに有することを特徴とする請求項１記載の基地局装置。
【請求項１０】
データ信号を復調するために必要な情報を含む制御信号に対する当該データ信号の受信タイミングが変更されることを示す通知信号を受信する受信手段、を有することを特徴とする移動局装置。
【請求項１１】
データ信号および当該データ信号を復調するために必要な情報を含む制御信号の伝搬環境の変動を検出するステップと、
検出された伝搬環境の変動に応じて前記制御信号に対する前記データ信号の送信タイミングを変更するステップと、
を有することを特徴とする送信方法。
【請求項１２】
データ信号を復調するために必要な情報を含む制御信号に対する当該データ信号の受信タイミングが変更されることを示す通知信号を受信するステップ、を有することを特徴とする受信方法。
【請求項１３】
請求項１から請求項９のいずれかに記載の基地局装置および請求項１０記載の移動局装置を有することを特徴とする無線通信システム。
【発明の詳細な説明】
【０００１】
【発明の属する技術分野】
本発明は、基地局装置および送信方法に関する。
【０００２】
【従来の技術】
次世代移動通信における無線アクセス方式では、情報の高速化および大容量化に向けて、トラフィックが増加することが考えられる。特に下り回線では、データベースやウェブサイトから画像等がダウンロードされることが想定され、高速パケット伝送技術が必要不可欠となる。そこで、例えば高速パケット伝送技術の１つであるＨＳＤＰＡ（High Speed Downlink Packet Access）が採用されることが考えられる。
【０００３】
ＨＳＤＰＡを用いた無線通信システムにおいては、移動局装置は、例えばＣＩＲ（Carrier to Interference Ratio）、ＳＩＲ（Signal to Interference Ratio）などの受信品質を基地局装置が測定するために必要な制御情報をアソシエイテッド個別物理チャネル（Associated ＤＰＣＨ：Associated Dedicated Physical Channel）を用いて基地局装置へ送信する。基地局装置は、測定した受信品質に基づいて伝搬環境に応じて最適なデータ変調方式などを決定する。そして、基地局装置は、決定されたデータ変調方式などを移動局装置へ通知するための制御信号を送信するが、このとき、まず、Associated ＤＰＣＨを介して制御信号の時間スロットを指し示すポインタ情報を送信し、制御信号を送信する。また、基地局装置は、制御信号を送信した後、送信タイミングのオフセットを設けて、通知したデータ変調方式によって変調されたデータ信号を送信する。このとき、データ変調方式など、移動局装置がデータを受信して復調するために必要な情報を含む制御信号は、高速シェアードコントロールチャネル（ＨＳ−ＳＣＣＨ：High Speed-Shared Control Channel）によって送信され、制御信号に対応する実際のデータ信号は、制御信号の送信後、図９に示すようにタイムオフセットが設けられて高速ダウンリンクシェアードチャネル（ＨＳ−ＤＳＣＨ：High Speed-Downlink Shared Channel）によって送信される。なお、ＨＳ−ＳＣＣＨおよびＨＳ−ＤＳＣＨの信号がそれぞれ送信される時間間隔であるＴＴＩ（Transmission Time Interval）は、いずれも２ｍｓであり、ＨＳ−ＳＣＣＨとＨＳ−ＤＳＣＨの信号が同時に送信される時間帯がある。
【０００４】
【発明が解決しようとする課題】
しかしながら、上述した無線通信システムにおいては、基地局装置が移動局装置からの制御情報を受けて受信品質を測定してから基地局装置が実際にデータ信号を送信するまでには時間差があるため、測定した受信品質に基づいて決定されたデータ変調方式が必ずしも最適ではないことがある。
【０００５】
特に、移動局装置が高速で移動している場合などは、基地局装置間との伝搬環境の変動が激しいと考えられるため、ＨＳ−ＳＣＣＨとＨＳ−ＤＳＣＨの短いＴＴＩでも、タイムオフセット間で受信レベルが大きく変動する。例えば、ユーザが時速１００ｋｍ／ｈで移動すると、ＨＳ−ＳＣＣＨのＴＴＩ内で受信レベルが大きく変動し、それに伴って受信信号の位相がＴＴＩ内で約１４０度回転する。そのため、基地局装置が受信品質を測定した時点と、実際にデータ信号を送信する時点とでは、最適なデータ変調方式が異なっていることが多い。それにも関わらず、基地局装置は、受信品質を測定した時点で最適であったデータ変調方式によってデータ信号を送信するという問題がある。
【０００６】
また、最適でないデータ変調方式によって送信されたデータ信号を移動局装置が受信した場合、移動局装置においては受信したデータ信号に誤りが検出され、基地局装置に対して再送要求を行うことになり、スループットが低下するという問題がある。また、基地局装置は、ＨＳ−ＳＣＣＨとＨＳ−ＤＳＣＨの信号を同時に送信する時間帯があるため、この時間帯においてはリソースを多く費やすという問題がある。
【０００７】
本発明はかかる点に鑑みてなされたものであり、スループットの向上および消費リソースの低減を図ることができる基地局装置および送信方法を提供することを目的とする。
【０００８】
【課題を解決するための手段】
本発明の基地局装置は、データ信号および当該データ信号を復調するために必要な情報を含む制御信号の伝搬環境の変動を検出する検出手段と、検出された伝搬環境の変動に応じて前記制御信号に対する前記データ信号の送信タイミングを変更する変更手段と、を有する構成を採る。
【０００９】
この構成によれば、データ信号と制御信号の伝搬環境の変動を検出し、伝搬環境の変動に応じて制御信号に対するデータ信号の送信タイミングを変更するため、伝搬環境の変動が急な場合は、制御信号に対してデータ信号を早く送信し、伝搬環境が移動局装置からの受信品質測定時と変わらないうちにデータ信号を送信することができる。すなわち、測定した受信品質に基づいて決定される最適な変調方式によってデータ信号を送信した場合に、データ信号送信時の伝搬環境が受信品質測定時と大きく変化しておらず、データ信号を最適な変調方式で送信することができ、結果として移動局装置からの再送要求を低減することができ、スループットの向上を図ることができる。
【００１０】
本発明の基地局装置は、前記検出手段は、受信信号から最大ドップラー周波数を検出する最大ドップラー周波数検出部、を含み、検出された最大ドップラー周波数に基づいて伝搬環境の変動を検出する構成を採る。
【００１１】
この構成によれば、最大ドップラー周波数に基づいて伝搬環境の変動を検出するため、精度良く伝搬環境の変動を推定することができる。
【００１２】
本発明の基地局装置は、前記変更手段は、伝搬環境の変動が大きい場合に前記制御信号に対する前記データ信号の送信タイミングを早くする構成を採る。
【００１３】
この構成によれば、伝搬環境の変動が大きい場合にデータ信号の送信タイミングを早くするため、移動局装置からの受信品質測定時と伝搬環境が大きく変わらないうちにデータ信号を送信することができ、受信品質測定時に決定された最適な変調方式で変調されたデータ信号が最適な変調方式である間にデータ信号を送信することができ、結果として移動局装置からの再送要求を低減することができ、スループットの向上を図ることができる。
【００１４】
本発明の基地局装置は、前記変更手段は、伝搬環境の変動が小さい場合に前記制御信号に対する前記データ信号の送信タイミングを遅くする構成を採る。
【００１５】
この構成によれば、伝搬環境の変動が小さい場合にデータ信号の送信タイミングを遅くするため、移動局装置からの受信品質測定時と伝搬環境が大きく変わらないうちにデータ信号を送信することができ、基地局装置においては、当該移動局装置以外にリソースを割り当てることができるとともに、移動局装置においては、制御信号とデータ信号の受信タイミングが重ならないため、例えばデータ信号をバッファに保持するためのメモリ量を削減でき、復号等に関わる平均処理量を削減でき、消費電力の低減を図ることができる。
【００１６】
本発明の基地局装置は、前記変更手段は、前記制御信号に対する前記データ信号の送信タイミングがそれぞれ異なる複数のグループを設定する設定部と、設定された複数のグループのうち前記データ信号の送信先が属するグループを伝搬環境の変動に基づいて選択する選択部と、を有し、送信先への前記制御信号に対する前記データ信号の送信タイミングを選択されたグループの送信タイミングに変更する構成を採る。
【００１７】
この構成によれば、制御信号に対するデータ信号の送信タイミングがそれぞれ異なる複数のグループを設定し、伝搬環境の変動に基づいて送信先が属するグループを選択し、送信先へのデータ信号送信タイミングを選択されたグループの送信タイミングに変更するため、複数の移動局装置と通信する場合、各移動局装置が属するグループを決定することによりそれぞれの移動局装置に対する送信タイミングを変更することができ、既存のチャネルを利用して、トラフィックを変更させることなくスループットの向上を図ることができる。
【００１８】
本発明の基地局装置は、前記設定部は、自装置の設置場所に応じてあらかじめ複数のグループを設定する構成を採る。
【００１９】
この構成によれば、自装置の設置場所に応じて、複数のグループを設定するため、各移動局装置から得られる伝搬環境の変動を基に移動局装置数の割合に応じたグループ設定の処理が不必要となり、基地局装置の処理量を少なくすることができる。
【００２０】
本発明の基地局装置は、前記設定部は、各移動局装置が前記検出手段によって検出する伝搬環境の変動を基に移動局装置数の割合に応じて複数のグループを設定する構成を採る。
【００２１】
この構成によれば、各移動局装置から得られる伝搬環境の変動を基に、各移動局装置の割合を考慮したグループを再設定することができ、常に適切なグループを設定することができる。
【００２２】
本発明の基地局装置は、前記設定部は、所定の周期で複数のグループを再設定する構成を採る。
【００２３】
この構成によれば、所定の周期で複数のグループを設定するため、設置場所に適したグループを再設定することができ、基地局装置は少ない処理量で適切なグループを設定することができる。
【００２４】
本発明の基地局装置は、前記変更手段によって前記制御信号に対する前記データ信号の送信タイミングが変更されたことを通知する通知手段、をさらに有する構成を採る。
【００２５】
この構成によれば、制御信号に対するデータ信号の送信タイミングが変更されたことを通知するため、移動局装置はタイミングを誤ることなくデータ信号を受信することができる。
【００２６】
本発明の移動局装置は、データ信号を復調するために必要な情報を含む制御信号に対する当該データ信号の受信タイミングが変更されることを示す通知信号を受信する受信手段、を有する構成を採る。
【００２７】
この構成によれば、データ信号を復調するために必要な情報を含む制御信号とデータ信号のタイムオフセットの変化に応じて、移動局装置は信号の受信タイミングが変更されることをあらかじめ検知することができる。
【００２８】
本発明の送信方法は、データ信号および当該データ信号を復調するために必要な情報を含む制御信号の伝搬環境の変動を検出するステップと、検出された伝搬環境の変動に応じて前記制御信号に対する前記データ信号の送信タイミングを変更するステップと、を有するようにした。
【００２９】
この方法によれば、データ信号と制御信号の伝搬環境の変動を検出し、伝搬環境の変動に応じて制御信号に対するデータ信号の送信タイミングを変更するため、伝搬環境の変動が急な場合は、制御信号に対してデータ信号を早く送信し、伝搬環境が移動局装置からの受信品質測定時と変わらないうちにデータ信号を送信することができる。すなわち、測定した受信品質に基づいて決定される最適な変調方式によってデータ信号を送信した場合に、データ信号送信時の伝搬環境が受信品質測定時と大きく変化しておらず、データ信号を最適な変調方式で送信することができ、結果として移動局装置からの再送要求を低減することができ、スループットの向上を図ることができる。
【００３０】
本発明の受信方法は、データ信号を復調するために必要な情報を含む制御信号に対する当該データ信号の受信タイミングが変更されることを示す通知信号を受信するステップ、を有するようにした。
【００３１】
この方法によれば、送信側でデータ信号と当該データ信号を復調するために必要な情報の送信タイミングが変更されることを信号の受信前に知ることができる。したがって、送信側からのデータ信号と制御信号を見逃すことなく受信することできる。
【００３２】
本発明の無線通信システムは、上記のいずれかに記載の基地局装置および移動局装置を有する構成を採る。
【００３３】
この構成によれば、上記のいずれかに記載の基地局装置および移動局装置と同様の作用効果を実現することができる。
【００３４】
【発明の実施の形態】
本発明者は、まず、パケットデータなどのデータ信号を伝送する高速ダウンリンクシェアードチャネル（ＨＳ−ＤＳＣＨ）とデータ信号の変調方式等に関する情報を含む制御信号を伝送する高速シェアードコントロールチャネル（ＨＳ―ＳＣＣＨ）とのタイムオフセットが固定であることと、ＨＳ−ＳＣＣＨとＨＳ−ＤＳＣＨの信号を同時に送信する時間帯があるため、基地局装置は１ユーザあたりＨＳ−ＳＣＣＨとＨＳ−ＤＳＣＨを同時にリソースを使用することに着目した。そして、伝搬環境の変動に応じてタイムオフセットを変化させることにより、基地局装置がアソシエイテッド個別物理チャネル（Associated ＤＰＣＨ）を介して受信した制御情報を受けて受信品質を測定してから、測定した受信品質に基づいて決定された変調方式で変調されたデータ信号を送信するまでの時間差を短縮できること、また、伝搬環境の変動が緩いときはＨＳ−ＳＣＣＨとＨＳ−ＤＳＣＨの信号が同時に送信される時間帯をなくすことができ、基地局装置は他の移動局装置にリソースを割り当てることができることを見出し、本発明をするに至った。
【００３５】
すなわち本発明の骨子は、パケットデータなどのデータ信号を伝送する例えばＨＳ−ＤＳＣＨなどのデータチャネルと、データ信号の変調方式等に関する情報を含む制御信号を伝送する例えばＨＳ−ＳＣＣＨなどの制御チャネルとのタイムオフセットを伝搬環境の変動に応じて可変とすることである。
【００３６】
以下、本発明の実施の形態について、図面を参照して詳細に説明する。
【００３７】
（実施の形態１）
図１は、本発明の実施の形態１に係る基地局装置の要部構成を示すブロック図である。
【００３８】
図１に示す基地局装置は、無線送受信部１００、受信部２００、および送信部３００を備えている。受信部２００内には、逆拡散部２１０、象限合わせ部２２０、チャネル推定部２３０、最大ドップラー周波数検出部２４０、およびＲＡＫＥ合成部２５０を備えており、送信部３００内には、データマッピング部３１０、拡散部３２０、およびタイミング変更部３３０を備えている。
【００３９】
無線送受信部１００は、アンテナを介して信号の送受信を行うとともに、無線送受信処理を行う。また、無線送受信部１００は、データ信号をＨＳ−ＤＳＣＨを介して送受信し、制御信号をＨＳ−ＳＣＣＨを介して送受信する。逆拡散部２１０は、受信信号を逆拡散する。象限合わせ部２２０は、受信信号のＩＱ平面上における位置を決定する。チャネル推定部２３０は、ＩＱ平面上における位置が決定された受信信号について、チャネル推定を行う。最大ドップラー周波数検出部２４０は、ＩＱ平面上における位置が決定された受信信号から最大ドップラー周波数を検出する。ＲＡＫＥ合成部２５０は、チャネル推定後の受信信号をＲＡＫＥ合成して、復調データを出力する。
【００４０】
データマッピング部３１０は、測定した受信品質に基づいて決定された変調方式によって送信データを変調し、データマッピングを行う。拡散部３２０は、データマッピングされて得られた送信データ信号を拡散する。タイミング変更部３３０は、最大ドップラー周波数検出部２４０によって検出された最大ドップラー周波数に応じて送信データ信号と当該送信データ信号に対応する制御信号との送信タイミングを変更する。
【００４１】
次いで、上記のように構成された基地局装置の動作について説明する。なお、図１に示す基地局装置は、移動局装置からアソシエイテッド個別物理チャネル（Associated ＤＰＣＨ）を介して受信した制御情報を受けて、例えばＳＩＲ、ＣＩＲなどの受信品質を常に測定しているものとする。
【００４２】
アンテナを介して無線送受信部１００によって受信された受信信号は、受信後、所定の無線受信処理が行われて逆拡散部２１０へ出力される。受信信号は、逆拡散部２１０によって逆拡散され、象限合わせ部２２０によってＩＱ平面上における位置が決定される。そして、ＩＱ平面上における受信信号の位置と受信信号のレプリカの位置とから、チャネル推定部２３０によってチャネル推定が行われ、ＲＡＫＥ合成部２５０によってＲＡＫＥ合成され、復調データが得られる。
【００４３】
また、象限合わせ部２２０によってＩＱ平面上における受信信号の位置が決定された後、最大ドップラー周波数検出部２４０によって受信信号から最大ドップラー周波数が検出される。ここで、最大ドップラー周波数は、移動局装置と図１に示す基地局装置間の伝搬環境の変動の緩急を示す指標である。検出された最大ドップラー周波数は、タイミング変更部３３０へ通知される。
【００４４】
一方、送信データは、データマッピング部３１０によって、測定した受信品質から決定される（すなわち、伝搬環境に応じて決定される）最適な変調方式によって変調され、データマッピングされ、拡散部３２０によって拡散される。そして、拡散後の送信データ信号は、タイミング変更部３３０によって、当該送信データ信号の変調方式などに関する情報を含む制御信号の送信タイミングに対するタイムオフセットが最大ドップラー周波数に基づいて変更される。そして、無線送受信部１００によって所定の無線送信処理が行われた上で、制御信号はアンテナからＨＳ−ＳＣＣＨを介して送信され、送信データ信号はアンテナからＨＳ−ＤＳＣＨを介して送信される。
【００４５】
このとき、タイミング変更部３３０による最大ドップラー周波数に基づくタイムオフセットの変更は、例えば、伝搬環境の変動を低・中・高の３段階に分け、伝搬環境の変動が低である場合は、ＨＳ−ＳＣＣＨを介して送信される制御信号とＨＳ−ＤＳＣＨを介して送信されるデータ信号とのタイムオフセットを大きくし、伝搬環境の変動が中である場合は、制御信号とデータ信号とのタイムオフセットを変更せず、伝搬環境の変動が高である場合は、制御信号とデータ信号とのタイムオフセットを小さくするようにして行われる。
【００４６】
次に、図２から図４を参照して、本実施の形態に係る基地局装置と移動局装置の動作の一例を説明する。
【００４７】
本実施の形態においては、図２に示すように、移動局装置から基地局装置へAssociated ＤＰＣＨを介して、例えばＳＩＲ、ＣＩＲなどの受信品質を測定するための制御情報が常に送信されており、基地局装置は受信品質を測定している。基地局装置が移動局装置に対してデータを送信する場合、基地局装置は、測定した受信品質に基づいてデータ送信先である移動局装置との伝搬環境において最適な変調方式等を選択し、データ信号を送信する。このとき、基地局装置は、まず、制御信号の時間スロットを示すポインタ情報をAssociated ＤＰＣＨを介して送信し、ＨＳ−ＳＣＣＨを介して選択された変調方式等を通知する制御信号を送信し、送信された制御信号に対してタイムオフセットを設けて、ＨＳ−ＤＳＣＨを介してデータ信号を送信する。
【００４８】
図２に示す例では、時刻ｔ１において受信した制御情報に基づいて受信品質が測定された後に変調方式等が決定され、決定された変調方式等に関する制御信号が、時刻ｔ２において送信されるポインタ情報の後に、時刻ｔ３においてＨＳ−ＳＣＣＨから送信され、決定された変調方式によって変調されたデータ信号が時刻ｔ４においてＨＳ−ＤＳＣＨから送信される。すなわち、制御信号が送信される時刻ｔ３から（ｔ４−ｔ３）だけタイムオフセットが設けられてデータ信号が送信される。
【００４９】
このとき、基地局装置は、最大ドップラー周波数検出部２４０によって検出された最大ドップラー周波数に基づいて伝搬環境の変動の緩急を判定する。そして、伝搬環境の変動が急である場合は、図３に示すように、時間方向で受信レベルが大きく変動するため、ＨＳ−ＳＣＣＨを介して送信する制御信号と、ＨＳ−ＤＳＣＨを介して送信するデータ信号のタイムオフセットを小さくする。こうすることで、図２においては時刻ｔ３と時刻ｔ４が近くなり、結果として受信品質が測定された時刻ｔ１とデータ信号が送信される時刻ｔ４が近くなるため、受信品質が測定された時刻ｔ１と伝搬環境が大きく変わらないうちにデータ信号を送信することができる。したがって、測定した受信品質に基づいて決定された変調方式が最適な変調方式である間にデータ信号を送信することができる。
【００５０】
一方、伝搬環境の変動が緩やかである場合は、図４に示すように、時間方向で受信レベルの変動が小さいため、ＨＳ−ＳＣＣＨを介して送信する制御信号と、ＨＳ−ＤＳＣＨを介して送信するデータ信号のタイムオフセットを大きくする。例えば、ユーザがおよそ時速３ｋｍ／ｈで移動する場合、タイムオフセットを１０ｍｓぐらいはなしても受信レベルはそれほど変動しない。こうすることで、図２においては時刻ｔ３と時刻ｔ４が遠くなり、結果として受信品質を測定した時刻ｔ１とデータ信号が送信される時刻ｔ４が遠くなるが、伝搬環境の変動が緩やかであるため、時刻ｔ１と時刻ｔ４における伝搬環境は大きく変わらない。したがって、測定した受信品質に基づいて決定された変調方式が最適な変調方式である間にデータ信号を送信することができるとともに、移動局装置は、制御信号と対応するデータ信号とに対する受信や復調の処理を同時に行う時間が減少するため、移動局装置における処理量の低減を図ることができる。
【００５１】
このように、本実施の形態によれば、受信信号から伝搬環境の変動の緩急を示す最大ドップラー周波数を検出し、検出された最大ドップラー周波数に基づいて制御信号と対応するデータ信号とのタイムオフセットを可変にして信号を送信するため、伝搬環境の変動が急である場合は、タイムオフセットを小さくすることにより、測定した受信品質に基づいて決定された変調方式が最適なものである間にデータ信号を送信することができ、移動局装置からの再送要求を低減し、スループットを向上することができる。また、伝搬環境の変動が緩やかである場合は、タイムオフセットを大きくすることにより、ＨＳ−ＳＣＣＨとＨＳ−ＤＳＣＨの信号が同時に送信される時間帯をなくすことができ、制御信号の瞬時処理量を減らすことができ、消費電力を削減できる。
【００５２】
（実施の形態２）
図５は、本発明の実施の形態２に係る基地局装置の要部構成を示すブロック図である。図５において、図１に示す基地局装置と同じ部分には同じ符号を付して、その説明を省略する。
【００５３】
図５に示す基地局装置は、無線送受信部１００、受信部２００、および送信部３００を備えている。送信部３００内には、実施の形態１の構成に加えて、グループ構成部３４０、およびグループ識別部３５０を備えている。
【００５４】
本実施の形態の特徴は、制御チャネルとデータチャネルとのタイムオフセットに関して、それぞれタイムオフセットが異なる複数のグループをグループ構成部３４０によって設定し、基地局装置が複数の移動局装置と通信を行う場合、各移動局装置間における伝搬環境の変動を考慮して構成したグループから移動局装置ごとに選択して信号の送信を行う点である。したがって、本実施の形態においては、基地局装置が複数の移動局装置を収容しているものとして説明する。
【００５５】
図５において、グループ構成部３４０は、最大ドップラー周波数検出部２４０によって検出された最大ドップラー周波数から推定される伝搬環境の変動から複数の移動局装置の統計的な割合に基づいて、それぞれＨＳ−ＳＣＣＨとＨＳ−ＤＳＣＨのタイムオフセットが異なる複数のグループを決定する。グループ識別部３５０は、データの送信先となる移動局装置がどのグループに属するかを当該移動局装置に対応する最大ドップラー周波数に基づいて識別する。
【００５６】
次いで、上記のように構成された基地局装置の動作について説明する。なお、実施の形態１と同様に、図５に示す基地局装置は、各移動局装置からアソシエイテッド個別物理チャネル（Associated ＤＰＣＨ）を介して受信した制御情報を受けて、例えばＳＩＲ、ＣＩＲなどの受信品質を常に測定しているものとする。
【００５７】
アンテナを介して無線送受信部１００によって受信された受信信号は、受信後、所定の無線受信処理が行われて逆拡散部２１０へ出力される。受信信号は、逆拡散部２１０によって逆拡散され、各移動局装置ごとの信号が取り出されるとともに、それぞれの移動局装置からの信号について象限合わせ部２２０によってＩＱ平面上における位置が決定される。そして、ＩＱ平面上における信号の位置と信号のレプリカの位置とから、チャネル推定部２３０によってチャネル推定が行われ、ＲＡＫＥ合成部２５０によってＲＡＫＥ合成され、各移動局装置ごとに復調データが得られる。
【００５８】
また、象限合わせ部２２０によってＩＱ平面上における信号の位置が決定された後、最大ドップラー周波数検出部２４０によって各移動局装置に対応する信号から移動局装置ごとの最大ドップラー周波数が検出される。ここで、最大ドップラー周波数は、各移動局装置と図５に示す基地局装置間の伝搬環境の変動の緩急を示す指標である。検出された最大ドップラー周波数は、グループ構成部３４０およびグループ識別部３５０へ通知される。
【００５９】
そして、グループ構成部３４０によって、各移動局装置と図５に示す基地局装置間の伝搬環境が統計的に処理され、その結果に基づき、ＨＳ−ＳＣＣＨとＨＳ−ＤＳＣＨの間のタイムオフセットがそれぞれ異なる複数のグループが設定される。設定されたグループは、グループ識別部３５０へ通知され、データを送信する際、送信先の移動局装置に対応する最大ドップラー周波数に基づいて、当該移動局装置がどのグループに属するかがグループ識別部３５０によって識別される。この結果は、タイミング変更部３３０へ通知される。
【００６０】
一方、送信データは、データマッピング部３１０によって、測定した受信品質から決定される（すなわち、伝搬環境に応じて決定される）最適な変調方式によって変調され、データマッピングされ、拡散部３２０によって拡散される。そして、拡散後の送信データ信号は、タイミング変更部３３０によって、送信データの送信先となる移動局装置が属するグループのタイムオフセットを有するＨＳ−ＳＣＣＨとＨＳ−ＤＳＣＨが選択されることにより、制御信号およびデータ信号の送信タイミングが変更される。そして、無線送受信部１００によって所定の無線送信処理が行われた上で、制御信号はアンテナからＨＳ−ＳＣＣＨを介して送信され、送信データ信号はアンテナからＨＳ−ＤＳＣＨを介して送信される。
【００６１】
次に、図６を参照して、本実施の形態に係る基地局装置の動作の一例を説明する。
【００６２】
本実施の形態においては、基地局装置は複数の移動局装置と通信を行っているため、最大ドップラー周波数検出部２４０が各移動局装置に対応する最大ドップラー周波数を検出することにより、移動局装置ごとに基地局装置間の伝搬環境の変動が推定される。そして、推定された伝搬環境の変動に基づいて、制御信号とデータ信号のタイムオフセットがそれぞれ異なる、例えば図６に示すようなグループＡ〜Ｃが、グループ構成部３４０によって構成される。このグループ構成は、例えば、伝搬環境の変動が急である移動局装置が多い場合は、タイムオフセットの小さいグループを多くしたり、反対に、伝搬環境の変動が緩やかな移動局装置が多い場合は、タイムオフセットが大きいグループを多くしたりするようにして構成される。
【００６３】
そして、基地局装置が移動局装置に対してデータ信号を送信する場合、グループ識別部３５０によって、データの送信先となる移動局装置に対応する最大ドップラー周波数に基づいて、当該移動局装置がグループＡ〜Ｃのうち、どのタイムオフセットで制御信号とデータ信号（すなわち、ＨＳ−ＳＣＣＨの信号とＨＳ−ＤＳＣＨの信号）を送信するグループに属するかが識別される。
【００６４】
そして、送信先の移動局装置が上記のグループＡ〜Ｃのうち、どのグループに属するかがグループ識別部３５０からタイミング変更部３３０へ通知され、タイミング変更部３３０は、通知されたグループのタイムオフセットを有するように、ＨＳ−ＳＣＣＨとＨＳ−ＤＳＣＨの送信タイミングを変更する。送信タイミングが変更されると、基地局装置は、まず、ＨＳ−ＳＣＣＨを介して選択された変調方式等を通知する制御信号を送信し、送信された制御信号に対して変更されたタイムオフセットを設けて、ＨＳ−ＤＳＣＨを介してデータ信号を送信する。
【００６５】
このように、本実施の形態によれば、各移動局装置の伝搬環境の変動を考慮して制御チャネルとデータチャネルとのタイムオフセットが異なる複数のグループを設定し、設定された複数のグループのうち送信先の移動局装置が属するグループを識別し、送信先の移動局装置が属するグループのタイムオフセットで制御信号と対応するデータ信号とを送信するため、複数の移動局装置に対してデータ信号および制御信号を送信する場合、トラフィックを変更することなく既存のチャネルを利用して、移動局装置ごとにＨＳ−ＳＣＣＨとＨＳ−ＤＳＣＨのタイムオフセットを変更することができ、移動局装置からの再送要求を低減し、スループットを向上することができる。また、基地局装置は、伝搬環境の変動が緩やかなグループのＨＳ−ＳＣＣＨとＨＳ−ＤＳＣＨのタイムオフセットを大きくして、伝搬環境の変動が急なグループの移動局装置にリソースを割り当てることができる。
【００６６】
なお、本実施の形態においては、各移動局装置の伝搬環境の変動に基づいてグループを設定する構成としたが、基地局装置が例えば地下街などに設置される場合は、収容される移動局装置の使用環境が限られるため、あらかじめ想定されるグループを基地局装置が利用してもよい。また、あらかじめ想定されるグループを保持しておき、基地局装置と移動局装置との間で伝搬環境の変動に基づく統計的な割合が変化する時間帯を想定して、グループを再設定するようにしても良い。この構成によれば、基地局装置はより少ない処理量で伝搬環境の変動に基づく統計的な割合に応じて送信タイミングの変更を行うことができる。また、本実施の形態において、グループを設定するタイミングは種々変更することが可能である。すなわち、例えば、各移動局装置の伝搬環境を監視する監視回路を設けて、グループに占める移動局装置数の割合が変化した場合にグループを再構成するようにしても良く、所定の周期を計測するタイマを設けて、計測された所定の周期ごとに各移動局装置における伝搬環境の統計的な割合に基づいてグループを設定しても良い。
【００６７】
（実施の形態３）
図７は、本発明の実施の形態３に係る基地局装置の要部構成を示すブロック図である。図７において、図５に示す基地局装置と同じ部分には同じ符号を付して、その説明を省略する。
【００６８】
図７に示す基地局装置は、無線送受信部１００、受信部２００、および送信部３００を備えている。送信部３００内には、実施の形態２に加えて、通知信号生成部３６０、および多重部３７０を備えている。
【００６９】
図８は、本発明の実施の形態３に係る移動局装置の要部構成を示すブロック図である。
【００７０】
図８に示す移動局装置は、無線受信部４００、逆拡散部４１０、象限合わせ部４２０、チャネル推定部４３０、ＲＡＫＥ合成部４４０、通知信号取得部４５０、およびタイミング制御部４６０を備えている。
【００７１】
本実施の形態の特徴は、基地局装置が制御チャネルとデータチャネルのタイムオフセットを通信開始時に設ける場合、あるいは通信途中で変更する場合に、その旨を示す通知信号を移動局装置に対して送信する点である。なお、本実施の形態においても、基地局装置が複数の移動局装置を収容しているものとして説明する。
【００７２】
図７に示す基地局装置において、通知信号生成部３６０は、基地局装置がデータチャネルと制御チャネルのタイムオフセットを通信開始時に設ける旨、あるいは通信途中で変更する旨を示す通知信号を生成する。多重部３７０は、生成された通知信号とＨＳ−ＳＣＣＨの時間スロットを示すポインタ情報などの制御情報とを多重する。
【００７３】
また、図８に示す移動局装置において、無線受信部４００は、アンテナを介して信号を受信するとともに、無線受信処理を行う。逆拡散部４１０は、受信信号を逆拡散する。象限合わせ部４２０は、受信信号のＩＱ平面上における位置を決定する。チャネル推定部４３０は、ＩＱ平面上における位置が決定された受信信号について、チャネル推定を行う。ＲＡＫＥ合成部４４０は、チャネル推定後の受信信号をＲＡＫＥ合成して、復調データを出力する。通知信号取得部４５０は、ＲＡＫＥ合成出力から基地局装置がデータチャネルと制御チャネルのタイムオフセットを通信開始時に設ける旨、あるいは通信途中で変更する旨を示す通知信号を取得する。タイミング制御部４６０は、通知信号に基づいて逆拡散部４１０を制御することにより信号の受信タイミングを制御する。
【００７４】
次いで、上記のように構成された基地局装置および移動局装置の動作について説明する。なお、実施の形態２と同様に、図７に示す基地局装置は、移動局装置からアソシエイテッド個別物理チャネル（Associated ＤＰＣＨ）を介して受信した制御情報を受けて、例えばＳＩＲ、ＣＩＲなどの受信品質を常に測定しているものとする。
【００７５】
アンテナを介して無線送受信部１００によって受信された受信信号は、受信後、所定の無線受信処理が行われて逆拡散部２１０へ出力される。受信信号は、逆拡散部２１０によって逆拡散され、移動局装置ごとの信号が取り出されるとともに、それぞれの移動局装置からの信号について象限合わせ部２２０によってＩＱ平面上における位置が決定される。そして、ＩＱ平面上における信号の位置と信号のレプリカの位置とから、チャネル推定部２３０によってチャネル推定が行われ、ＲＡＫＥ合成部２５０によってＲＡＫＥ合成され、各移動局装置ごとに復調データが得られる。
【００７６】
また、象限合わせ部２２０によってＩＱ平面上における信号の位置が決定された後、最大ドップラー周波数検出部２４０によって各移動局装置に対応する信号から移動局装置ごとの最大ドップラー周波数が検出される。ここで、最大ドップラー周波数は、各移動局装置と図７に示す基地局装置間の伝搬環境の変動の緩急を示す指標である。検出された最大ドップラー周波数は、グループ構成部３４０およびグループ識別部３５０へ通知される。
【００７７】
そして、グループ構成部３４０によって、各移動局装置と図７に示す基地局装置間の伝搬環境が統計的に処理され、その結果に基づき、ＨＳ−ＳＣＣＨとＨＳ−ＤＳＣＨの間のタイムオフセットがそれぞれ異なる複数のグループが設定される。設定されたグループは、グループ識別部３５０へ通知され、データを送信する際、送信先の移動局装置に対応する最大ドップラー周波数に基づいて、当該移動局装置がどのグループに属するかがグループ識別部３５０によって識別される。この結果は、タイミング変更部３３０および通知信号生成部３６０へ通知される。
【００７８】
そして、データ送信先の移動局装置が属するグループを最初に設定する場合、あるいは今回のデータ送信時に属するグループが前回のデータ送信時に属していたグループと異なる場合（すなわち、制御チャネルとデータチャネルのタイムオフセットを変更する場合）、制御チャネルとデータチャネルのタイムオフセットを通信開始時に設ける旨、あるいは変更する旨を示す情報を含む通知信号が通知信号生成部３６０によって生成される。生成された通知信号は、多重部３７０によってポインタ情報などの制御情報と多重され、多重された多重信号は、データマッピング部３１０で変調され、拡散部３２０によって拡散される。そして、拡散後の多重信号は、タイミング変更部３３０を経て、無線送受信部１００からアンテナを介してAssociated ＤＰＣＨを用いて送信される。
【００７９】
その後、送信データは、データマッピング部３１０によって、測定した受信品質から決定される（すなわち、伝搬環境に応じて決定される）最適な変調方式によって変調され、データマッピングされ、拡散部３２０によって拡散される。そして、拡散後の送信データは、タイミング変更部３３０によって、送信データの送信先となる移動局装置が属するグループのタイムオフセットを有するＨＳ−ＳＣＣＨとＨＳ−ＤＳＣＨが選択されることにより、制御信号およびデータ信号の送信タイミングが変更される。そして、無線送受信部１００によって所定の無線送信処理が行われた上で、制御信号はアンテナからＨＳ−ＳＣＣＨを介して送信され、送信データ信号を含む多重信号はアンテナからＨＳ−ＤＳＣＨを介して送信される。
【００８０】
送信された多重信号はアンテナを介して移動局装置の無線受信部４００によって受信される。そして、受信信号は逆拡散部４１０によって逆拡散され、象限合わせ部４２０によってＩＱ平面上における位置が決定される。そして、ＩＱ平面上における受信信号の位置と受信信号のレプリカの位置とから、チャネル推定部４３０によってチャネル推定が行われ、ＲＡＫＥ合成部４４０にＲＡＫＥ合成され、ＲＡＫＥ合成出力から通知信号取得部４５０によって、制御チャネルとデータチャネルのタイムオフセットが通信開始時に設けられる旨、あるいは通信途中で変更される旨の通知信号が取得される。そして、タイミング制御部４６０によって逆拡散部４１０が取得された通知信号に基づいて制御されることにより、以後に受信するＨＳ−ＳＣＣＨおよびＨＳ−ＤＳＣＨの信号の受信タイミングが調整される。
【００８１】
このように、本実施の形態によれば、制御チャネルとデータチャネルのタイムオフセットが通信開始時に設けられる場合、あるいは通信途中で変更される場合、基地局装置は、その旨を示す通知信号を移動局装置へ送信し、移動局装置は、あらかじめ制御信号とデータ信号の送信タイミングが通信開始時に設けられること、あるいは通信途中で変更されることを検知して、信号の受信タイミングを調整するため、移動局装置は、ＨＳ−ＳＣＣＨとＨＳ−ＤＳＣＨのタイムオフセットが通信開始時に設けられる場合、あるいは通信途中で変更される場合でも正しく両チャネルの信号を受信することができる。
【００８２】
なお、本実施の形態においては、通知信号は、ＨＳ−ＳＣＣＨとＨＳ−ＤＳＣＨの送信タイミングが変更されて、移動局装置に信号が送信される前に、ポインタ情報などの制御情報と多重されてAssociated ＤＰＣＨを用いて送信される構成としたが、通知信号はAssociated ＤＰＣＨ以外のチャネルを用いて送信される構成としても良い。
【００８３】
上記各実施の形態においては、ＨＳ−ＳＣＣＨとＨＳ−ＤＳＣＨのタイムオフセットを変更する場合について説明したが、本発明は、データチャネルと当該データチャネルに対応する制御チャネルにタイムオフセットが設けられており、測定した受信品質に基づいて送信信号の変調方式等を決定する基地局装置であれば適用することができる。
【００８４】
【発明の効果】
以上説明したように、本発明によれば、スループットの向上を図ることができる。
【図面の簡単な説明】
【図１】本発明の実施の形態１に係る基地局装置の要部構成を示すブロック図
【図２】実施の形態１に係る基地局装置および移動局装置の動作の一例を説明するためのシーケンス図
【図３】実施の形態１に係る基地局装置の動作の一例を説明するための図
【図４】実施の形態１に係る基地局装置の動作の一例を説明するための図
【図５】本発明の実施の形態２に係る基地局装置の要部構成を示すブロック図
【図６】実施の形態２に係る基地局装置の動作の一例を説明するための図
【図７】本発明の実施の形態３に係る基地局装置の要部構成を示すブロック図
【図８】実施の形態３に係る移動局装置の要部構成を示すブロック図
【図９】従来のＨＳ−ＳＣＣＨとＨＳ−ＤＳＣＨのタイムオフセットを示す図
【符号の説明】
２４０  最大ドップラー周波数検出部
３３０  タイミング変更部
３４０  グループ構成部
３５０  グループ識別部
３６０  通知信号生成部
３７０  多重部
４５０  通知信号取得部
【図１】
0003914797.tif 000002
【図２】
0003914797.tif 000003
【図３】
0003914797.tif 000004
【図４】
0003914797.tif 000005
【図５】
0003914797.tif 000006
【図６】
0003914797.tif 000007
【図７】
0003914797.tif 000008
【図８】
0003914797.tif 000009
【図９】
0003914797.tif 000010